(57)【特許請求の範囲】
【請求項１】
パイプ状に丸めたベルト本体を挿通させる支持プレートの貫通穴の周囲に所定の間隔を隔てて支持ブラケットを配設し、該支持ブラケットに前記ベルト本体を支承する複数のガイドローラを回転自在に支持するローラブラケットを位置調整可能に取付けると共に、前記支持ブラケットとローラブラケットとの少なくとも一方に長穴を形成し、前記支持ブラケットとローラブラケットとを前記長穴に挿通させた締結部材を介して回転可能に連結し、前記ローラブラケットのローラ支持面側の少なくとも一方に、ローリング調整用ハンドルを設けてなるパイプコンベヤにおけるローリング調整装置において、
前記支持プレ−トの周囲をカバ−材で覆うと共に、前記ローリング調整用ハンドルの先端を前記支持プレートの上部に突出させ、かつ前記ローリング調整用ハンドルの先端側をブラケットに形成されたボルト孔を介して前記支持プレート又は前記カバ−材に係止したパイプコンベヤにおけるローリング調整装置。
【請求項２】
前記パイプコンベヤのキャリア側及びリタン側の少なくともローリングが発生する箇所における前記ローラブラケットに前記ローリング調整用ハンドルを設けた請求項１に記載のパイプコンベヤにおけるローリング調整装置。
【発明の詳細な説明】
【技術分野】
【０００１】
この発明は、パイプコンベヤにおけるローリング調整装置に関し、更に詳しくは、パイプコンベヤが左右に回転しながら蛇行走行した際に、コンベヤを停止することなしに、安全かつ迅速に蛇行走行の矯正を可能にしたパイプコンベヤにおけるローリング調整装置に関する。
【背景技術】
【０００２】
粉体や粒状体等の運搬物を運搬するパイプコンベヤは、ベルト本体を円筒形状にして運搬物を包み込み、完全に密閉した状態で運搬するため、運搬物の荷こぼれや、飛散がなく、またリタン側でのベルト本体の表面に付着した運搬物の落下が防止できる等の優れた特徴を有している。
【０００３】
このようなパイプコンベヤは、その走行経路に湾曲部分が含まれているような場合には、ベルト本体が左右方向にローリングして、ベルト本体に捩じれが生じて運搬物がこぼれたり、ベルト本体が支持プレートの貫通穴やローラブラケット等に接触して損傷するなどの不具合が生じることがあった。
【０００４】
この対策として、支持ブラケットとローラブラケットとの少なくとも一方に長穴を形成し、支持ブラケットとローラブラケットとを長穴に挿通させた締結部材を介して回転可能に連結し、ローラブラケットのローラ支持面側の一方に、ガイドロ−ラの傾斜方向を調整するローリング調整用ハンドルを設け、このハンドルを操作することにより、ローリングの調整又は修正を行なうようにした提案がある（特許文献１参照）。
【０００５】
しかしながら、このような装置では、ローリング調整用ハンドルへの外部からの接触と同時にガイドロ−ラの前傾が開始されるために、作業現場の環境次第では、接触事故に伴う安全性に問題があった。特に、ハンドルが回転しているガイドローラの近傍に設置されている場合にあっては、このハンドルを操作する際に誤って手が巻き込まれる危険があった。
【特許文献１】特開２００１−１３９１１５号公報
【発明の開示】
【発明が解決しようとする課題】
【０００６】
この発明の目的は、上述する従来の問題点を解消するもので、作業現場の環境の如何にかかわらず、安全かつ迅速にパイプコンベヤの蛇行走行を矯正できるようにしたパイプコンベヤにおけるローリング調整装置を提供することにある。
【課題を解決するための手段】
【０００７】
上記目的を達成するためのこの発明のローリング調整装置は、パイプ状に丸めたベルト本体を挿通させる支持プレートの貫通穴の周囲に所定の間隔を隔てて支持ブラケットを配設し、該支持ブラケットに前記ベルト本体を支承する複数のガイドローラを回転自在に支持するローラブラケットを位置調整可能に取付けると共に、前記支持ブラケットとローラブラケットとの少なくとも一方に長穴を形成し、前記支持ブラケットとローラブラケットとを前記長穴に挿通させた締結部材を介して回転可能に連結し、前記ローラブラケットのローラ支持面側の少なくとも一方に、ローリング調整用ハンドルを設けてなるパイプコンベヤにおけるローリング調整装置において、前記支持プレ−トの周囲をカバ−材で覆うと共に、前記ローリング調整用ハンドルの先端を前記支持プレートの上部に突出させ、かつ前記ローリング調整用ハンドルの先端側をブラケットに形成されたボルト孔を介して前記支持プレート又は前記カバ−材に係止したことを要旨とするものである。
【発明の効果】
【０００８】
この発明によれば、ガイドロ−ラの傾斜方向を調整するローリング調整用ハンドルの先端を支持プレートから突出させたので、作業環境の整備されていない現場であっても、誤ってローリング調整用ハンドルに接触したり、誤接触により誤作動が発生するような事故がなくなり、安全かつ迅速にパイプコンベヤの蛇行走行を矯正することができる。
さらに、この発明では、ベルト本体を挿通させる支持プレートの周囲をカバー材で覆うと共に、ローリング調整用ハンドルの先端側をブラケットに形成されたボルト孔を介して支持プレート又はカバ−材に係止するようにしたので、作業環境の如何にかかわらず、一層高度な安全性を確保することができる。
【発明を実施するための最良の形態】
【０００９】
以下、この発明の構成につき添付の図面を参照しながら詳細に説明する。
【００１０】
図１はこの発明の実施形態からなるパイプコンベヤの支持プレートに配設された複数本のガイドローラの配置を示す正面図、図２は図１における支持プレ−トの側面図を示している。
【００１１】
図１及び図２において、パイプ状に丸めたベルト本体１を挿通させる支持プレート２の貫通穴３の周囲に所定の間隔を隔てて支持ブラケット４を配設し、この支持ブラケット４にベルト本体１を支承する複数のガイドローラ６、６、・・を回転自在に支持するローラブラケット５が位置調整可能に取付けられている。
【００１２】
支持ブラケット４とローラブラケット５との少なくとも一方には、図３に示すように、摺接面の長手方向端部近傍の少なくとも一方に長穴７が形成され、支持ブラケット４とローラブラケット５とを長穴７に挿通させた締結部材１１を介して回転可能に連結し、ローラブラケット５のローラ支持面側の少なくとも一方に、ローリング調整用ハンドル８が設けられている。なお、図１及び図２では、ローリング調整用ハンドル８がキャリア側（図中上側）のローラブラケット５に設けられた場合を示しているが、リタン側（図中下側）のローラブラケット５にも設けることができる。
【００１３】
そして、ベルト本体１がベルト進行方向に対して左右に回転してロ−リングが発生した場合には、パイプコンベヤの駆動を停止することなくロ−リングの発生している箇所のガイドロ−ラ６をベルト本体１の進行方向に傾倒させるようにローリング調整用ハンドル８を操作させることにより、蛇行走行の矯正が行なわれるようになっている。
【００１４】
この発明では、ローリング調整用ハンドル８の先端８ａが支持プレ−ト２の上部に突出するように設置していることを特徴としている。これにより、作業環境の整備されていない現場であっても、誤ってローリング調整用ハンドル８に接触したり、誤接触により誤作動が発生するような事故がなくなり、安全かつ迅速に蛇行走行を矯正することができる。
【００１５】
さらに、この発明では、支持プレ−ト２の周囲をカバ−材９で覆うと共に、ローリング調整用ハンドル８の先端８ａをカバ−材９の上部に突出させている。これにより、作業環境の如何にかかわらず一層高度な安全性が確保できる。
【００１６】
さらに加えて、この発明では、ローリング調整用ハンドル８の誤作動に伴う事故を防止するため、ローリング調整用ハンドル８の先端８ａ側を、図４に例示するように、ブラケット１０に形成されたボルト孔１２を介して係止させている。
【００１７】
この発明において、パイプコンベヤのキャリア側及びリタン側の少なくともローリングが発生する箇所におけるローラブラケット５には、それぞれローリング調整用ハンドル８を設けるようにするとよい。これにより、パイプコンベヤの如何なる箇所にローリングが発生した場合であっても、パイプコンベヤの駆動を停止させることなく、迅速かつ安全にローリング調整を行なうことができる。
【００１８】
上述するように、この発明のパイプコンベヤにおけるロ−リング調整装置は、ベルト本体を挿通させる支持プレートの周囲をカバ−材で覆うと共に、ベルト本体を支承するガイドロ−ラの傾斜を変更させるためのローリング調整用ハンドルの先端を支持プレートの上部に突出させ、かつローリング調整用ハンドルの先端側をブラケットに形成されたボルト孔を介して支持プレート又はカバ−材に係止させることにより、ローリング調整用ハンドルへの接触に伴う誤作動を防止して安全を確保するもので、特に作業環境の整備されていない現場に対して有益に利用される。
【図面の簡単な説明】
【００１９】
【図１】この発明を実施形態によるロ−リング調整装置を備えたパイプコンベヤの一例を示す正面図である。
【図２】図１の側面図である。
【図３】ガイドロ−ラの傾斜方向を調整するためのローリング調整機構を示す一部拡大斜視図である。
【図４】ローリング調整用ハンドルの先端における係止形態を例示する説明図である。
【符号の説明】
【００２０】
１  ベルト本体
２  支持プレ−ト
３  貫通穴
４  支持ブラケット
５  ロ−ラブラケット
６  ガイドローラ
７  長穴
８  ローリング調整用ハンドル
９  カバ−材
１０  ブラケット
１１  締結部材
１２  ボルト孔
【図１】
0004751656.tif 000002
【図２】
0004751656.tif 000003
【図３】
0004751656.tif 000004
【図４】
0004751656.tif 000005